(57)【要約】【課題】  充電器がない場合でも一次電池によって充電でき、また、充電電源を自動的に切り換える。  【解決手段】  一次電池ホルダに対して一次電池３ａ〜３ｃが装着されているか否かに応じてオン／オフする検出スイッチ４が設けられる。一次電池３ａ〜３ｃが装着されていない通常状態では、検出スイッチ４の検出信号によって、充電切換スイッチ１８の端子ａとｃとが接続される状態とされ、外部の充電器から供給される電圧がＤＣ−ＤＣコンバータ１７に対して入力される。ＤＣ−ＤＣコンバータ１７の所定値の出力によって、二次電池１１が充電される。一次電池３ａ〜３ｃが装着されると、検出スイッチ４がオンとなり、充電切換スイッチ１８の端子ｂとｃとが接続される状態とされ、一次電池の出力電圧がＤＣ−ＤＣコンバータ１７に対して入力される。ＤＣ−ＤＣコンバータ１７の所定値の出力によって、二次電池１１が充電される。【選択図】  図１
2005130662.tif 000002
【特許請求の範囲】
【請求項１】
二次電池を有する電池パックにおいて、
一次電池を装着自在に保持する保持部と、
一次電池電圧と外部端子電圧を切り換える切換器と、
上記切換器で選択された上記一次電池電圧と外部端子電圧の一方が入力され、上記二次電池の正側に安定化された出力電圧を供給する電圧変換器と、
通常状態では、上記外部端子電圧を選択し、上記一次電池が装着される時に、上記一次電池電圧を選択するように、上記切換器を制御する制御手段とを有する電池パック。
【請求項２】
二次電池を有する電池パックにおいて、
一次電池を装着自在に保持する保持部と、
一次電池電圧と外部端子電圧を切り換える切換器と、
上記切換器で選択された上記一次電池電圧と外部端子電圧の一方が入力され、上記二次電池の正側に安定化された出力電圧を供給する電圧変換器と、
通常状態では、上記一次電池を選択し、上記外部端子電圧が供給される時に、上記外部端子電圧を選択するように、上記切換器を制御する制御手段とを有する電池パック。
【請求項３】
請求項１または２において、
上記電圧変換器は、入力電圧が設定電圧値より低い場合は昇圧を行い、上記入力電圧が上記設定電圧値より高い場合は降圧を行う構成とされた電池パック。
【請求項４】
請求項１または２において、
上記電圧変換器がＤＣ−ＤＣコンバータである電池パック。
【請求項５】
請求項１または２において、
上記二次電池が上記一次電池電圧および上記外部端子電圧の一方で充電される状態でのみ点灯する発光素子が接続された電池パック。
【請求項６】
請求項１または２において、
上記制御手段は、上記保持部に設けられ、上記一次電池が装着されたことを検出するスイッチである電池パック。
【請求項７】
請求項１または２において、
上記制御手段は、上記一次電池電圧の値が設定値より大であることを検出する監視器である電池パック。
【請求項８】
請求項１または２において、
上記制御手段は、上記外部端子電圧の値が設定値より大であることを検出する監視器である電池パック。
【請求項９】
請求項１において、
上記制御手段は、上記一次電池電圧と上記外部端子電圧をレベル比較し、より高いレベルの電圧を検出する監視器である電池パック。
【発明の詳細な説明】
【技術分野】
【０００１】
この発明は、一次電池とリチウムイオン電池等の二次電池の両者を備え、二次電池を一次電池で充電可能としたの電池パックに関する。
【背景技術】
【０００２】
二次電池は、携帯型の電子機器において広く使用されている。リチウムイオン電池は、過充電や過放電に弱いことから、電池セルと、保護回路とが一体化された電池パックの構成とされるのが普通である。保護回路の機能は、過充電保護、過放電保護および過電流保護の３つの機能がある。簡単にこれらの保護機能について説明する。
【０００３】
過充電保護機能について説明する。リチウムイオン電池を充電していくと、満充電を過ぎても電池電圧が上昇を続ける。この過充電状態になると危険な状態となる可能性が生じる。したがって、充電は、定電流定電圧で行い、充電制御電圧が電池の定格（例えば４．２Ｖ）以下が行う必要がある。しかしながら、充電器の故障や、異機種用充電器の使用によって、過充電の危険性がある。過充電され、電池電圧がある電圧値以上になった場合、保護回路が充電制御ＦＥＴをオフし、充電電流を遮断する。この機能が過充電保護機能である。
【０００４】
過放電保護機能について説明する。定格放電終止電圧以下まで放電し、電池電圧が例えば２Ｖ〜１．５Ｖ以下の過放電状態になった場合は、電池が故障する場合がある。放電され、電池電圧がある電圧値以下になった場合、保護回路は、放電制御ＦＥＴをオフし、放電電流を遮断する。この機能が過放電機能である。
【０００５】
過電流保護機能について説明する。電池の＋−端子間が短絡された場合には、大電流がながれてしまい、異常発熱する危険性がある。放電電流がある電流値以上流れた場合には、保護回路は、放電制御ＦＥＴをオフし、放電電流を遮断する。この機能が過電流保護機能である。
【０００６】
従来の二次電池バッテリーパックは、二次電池のみで構成され、自宅などの家庭用電源で専用の充電器を使用して充電する必要がある。したがって、外出先などでバッテリーの残容量がなくなってしまった場合は、携帯電話、ＰＤＡ(Personal Digital Assistants)
、ディジタルカメラ、カムコーダ(comcoder(camera and recorder)を略した一般的に名称、ビデオカメラ＋レコーダ）等の携帯用電子機器が使用できなくなる不都合があった。
【０００７】
このような問題を解決する一つの方法として、携帯電話では、本体に接続可能な一次電池のみからなる充電装置が実用化されている。しかしながら、充電パックを別に携帯しなければならない問題があった。そこで、二次電池と共に一次電池を一体化した電池パックを使用し、二次電池の電圧が低下した場合に、一次電池によって二次電池を充電する電池パックが下記の特許文献１に記載されている。
【０００８】
【特許文献１】特開平２０００−３２４７０３号公報
【０００９】
特許文献１に記載のものは、一次電池の電圧と二次電池の電圧とを比較するコンパレータを設け、一次電池の電圧の方が二次電池の電圧より高い場合には、レギュレータを介した一次電池の電圧によって二次電池を充電するものである。
【発明の開示】
【発明が解決しようとする課題】
【００１０】
特許文献１に記載のものは、外部充電器により充電することについての記載はあるが、充電電源としての一次電池と外部充電器を自動的に切り換える機能はなく、また、外部充電器からの電圧は制御されていなかった。さらに、一次電池で充電する際、一次電池の電圧をレギュレータによって制御していた。レギュレータによって電圧を制限すると効率が悪く、無駄な電力を多く消費してしまう。さらに、レギュレータは小型ではなく、レギュレータによる制御では回路を小型化することはできなかった。
【００１１】
従って、この発明の目的は、外部充電器からの充電と一次電池による充電を自動的に切り換えることができ、また、一次電池の電圧を制御する際、レギュレータではなくＤＣ−ＤＣコンバータを使用した場合に、効率を改善し、さらに小型化、コストダウンを図ることができる電池パックを提供することにある。
【課題を解決するための手段】
【００１２】
上述した課題を達成するために、この発明は、二次電池を有する電池パックにおいて、
一次電池を装着自在に保持する保持部と、
一次電池電圧と外部端子電圧を切り換える切換器と、
切換器で選択された一次電池電圧と外部端子電圧の一方が入力され、二次電池の正極に安定化された出力電圧を供給する電圧変換器と、
通常状態では、外部端子電圧を選択し、一次電池が装着される時に、一次電池電圧を選択するように、切換器を制御する制御手段とを有する電池パックである。
【００１３】
この発明は、二次電池を有する電池パックにおいて、
一次電池を装着自在に保持する保持部と、
一次電池電圧と外部端子電圧を切り換える切換器と、
切換器で選択された一次電池電圧と外部端子電圧の一方が入力され、二次電池の正極に安定化された出力電圧を供給する電圧変換器と、
通常状態では、一次電池を選択し、外部端子電圧が供給される時に、外部端子電圧を選択するように、切換器を制御する制御手段とを有する電池パックである。
【発明の効果】
【００１４】
この発明によれば、外出等の家庭用電源がない場所においても、一次電池があれば、一次電池を装着するのみで、二次電池を充電することができる。
【００１５】
この発明に依れば、切換器を制御手段で制御することによって、外部充電器からの外部端子電圧と一次電池電圧による充電を自動で切り換えることができるようになる。
【００１６】
この発明では、一次電池の電圧を制御する充電用電圧変換器として、ＤＣ−ＤＣコンバータを使用することによって、レギュレータを使用するのと比較して、効率を良くでき、小型化、コストダウンを図ることができる。
【００１７】
この発明では、充電電源を切り換えるスイッチを設けることによって、一次電池を装着している際に充電器側から一次電池に電流が逆流することを防止でき、充電器からの電流と一次電池側からの電流が同時に流れることを防止できる。
【発明を実施するための最良の形態】
【００１８】
以下、この発明の第１の実施形態について図１を参照して説明する。図１において、参照符号１は、二次電池電池パックを示し、参照符号２が一次電池ホルダを示す。一次電池ホルダ２に対して一次電池例えば３本の一次電池３ａ，３ｂ，３ｃが装着されているか否かに応じてオン／オフする検出スイッチ４が設けられている。一次電池３ａ〜３ｃは、それぞれ単３の電池である。
【００１９】
なお、三本の一次電池を使用するのは、一例であって、一本以上の一次電池を使用するようにしても良い。また、一次電池３ａ〜３ｃとしては、マンガン電池、アルカリ電池、リチウム電池、空気電池などを使用できる。また、図１その他の接続図は、簡単のため、一次電池３ａ〜３ｃが装着されている状態の接続構成のみを示している。
【００２０】
図２および図３は、それぞれ二次電池電池パック１と一次電池ホルダ２の一例および他の例の構成を示す。図２Ａおよび図２Ｂの例では、電池パック１が一次電池ホルダ２の底面より下側の収納部に収納され、一次電池ホルダ２の底面上に一次電池３ａ〜３ｃが装着される構成とされている。
【００２１】
一次電池ホルダ２の底面上に検出スイッチ４が配置されている。検出スイッチ４は、一次電池３ｂが装着された状態でオンし、一次電池３ｂが装着されていない状態でオフする構成とされる。
【００２２】
図３に示す他の例では、一次電池ホルダ２が一次電池３ａ〜３ｃの収納用の凹部を有すると共に、上部がふた２ｂで覆われる構成とされている。ふた２ｂは、例えば係合用の爪（図示しない）で一次電池ホルダ２に固定される。二次電池電池パック１は、一次電池ホルダ２の底面より下側の収納部に収納される。
【００２３】
一次電池ホルダ２の開口部の周囲のふた２ｂと接する端面上に検出スイッチ４が設けられている。検出スイッチ４は、ふた２ｂがされるとオンし、ふた２ｂが取り除かれるとオフする構成とされている。
【００２４】
図１に戻ってこの発明の第１の実施形態に説明すると、二次電池電池パック１は、二次電池１１、保護回路（ＩＣ）１２、ＦＥＴ１３および１４、寄生ダイオード１５および１６、ＤＣ−ＤＣコンバータ１７、充電切換スイッチ１８を有する。
【００２５】
二次電池１１は、リチウムイオン電池、リチウムポリマー電池、ニッケル水素電池、ニッカド電池、リチウム金属電池などである。リチウムイオン電池の場合、例えば角形電池の構成とされ、二次電池２が全体として鉄の電池缶で被覆されている。また、リチウムポリマー電池の場合には、アルミニウムのラミネートフィルムで封止された構成とされている。なお、二次電池は、今後、開発される種類の二次電池でもよい。
【００２６】
ＤＣ−ＤＣコンバータ１７は、充電切換スイッチ１８からの入力電圧を安定化した直流電圧へ変換する回路である。ＤＣ−ＤＣコンバータ１７としては、種々の構成のものを使用できる。すなわち、コンデンサとスイッチ素子を用いたチャージャーポンプ方式、ダイオードとインダクタとコンデンサとスイッチ素子を用いたステップアップコンバータ（ステップダウンコンバータ）、またはトランスとスイッチ素子を用いたスイッチングレギュレータ、圧電トランスを用いた圧電インバータを使用できる。これらのＤＣ−ＤＣコンバータは、バイポーラトランジスタ素子を用いたシリーズレギュレータに比較して効率が良いものである。チャージャーポンプ方式の電圧変換器、スイッチングレギュレータとして、４mm角程度の非常に小型のものが開発されており、二次電池電池パック１に保護回路１２と共にＤＣ−ＤＣコンバータ１７を内蔵するのは比較的容易である。
【００２７】
二次電池１１の正極と外部端子２１が接続され、その負極と外部端子２２が放電電流用スイッチとしてのＦＥＴ１３および充電電流用スイッチとしてのＦＥＴ１４を介して接続される。外部端子２１および２２間に出力される二次電池１１の電池電圧は、例えば２．５Ｖ〜４．３Ｖ程度に設定されている。
【００２８】
ＦＥＴ１３および１４は、例えばＮチャンネル型のＦＥＴであり、各ＦＥＴ１３および１４と並列に寄生ダイオード１５および１６が接続される。ＦＥＴ１３および１４が保護回路１２からの放電制御信号および充電制御信号によってそれぞれ制御される。
【００２９】
保護回路１２は、一般的な回路構成であり、保護回路１２によってＦＥＴ１３および１４が制御され、過充電保護、過放電保護および過電流保護がなされる。電池電圧が設定電圧範囲内の通常状態であれば、放電制御信号および充電制御信号が共に"1"（論理的なレ
ベルを意味する）となり、ＦＥＴ１３および１４がオン状態とされる。したがって、二次電池１１から負荷への放電と、充電器から二次電池１１への充電が自由に行える。
【００３０】
電池電圧が設定電圧範囲より低いと、放電制御信号が"0"（論理的なレベルを意味する
）となり、ＦＥＴ１３がオフとされ、放電電流が流れることを禁止する。その後充電器を接続すると、ダイオード１５を介して充電がなされる。
【００３１】
設定電圧範囲より電池電圧が高いと、充電制御信号が"0"となり、ＦＥＴ１４がオフと
され、充電が禁止される。負荷への放電は、ダイオード１６を介して行われる。
【００３２】
さらに、外部端子２１および２２間が短絡されると、過大放電電流が流れ、ＦＥＴが破壊される可能性があるので、放電電流が所定の電流値に達すると、放電制御信号が"0"と
なり、ＦＥＴ１３がオフとされ、放電電流が流れることが禁止される。
【００３３】
また、参照符号２３が外部の充電器所謂ＡＣアダプタ（図示しない）から外部端子電圧が供給される充電端子を示す。ＡＣアダプタは、家庭用交流電源（１００Ｖ）を例えば５Ｖに変換する。充電器が接続されていないと、充電端子２３は、開放状態となるが、充電器が接続されていない時に、充電端子２３が０Ｖとなるように、プルダウン抵抗（図示しない）が接続されている。充電端子２３と充電切換スイッチ１８の一方の入力端子ａとが接続される。充電切換スイッチ１８の出力端子ｃがＤＣ−ＤＣコンバータ１７の入力端子に接続される。
【００３４】
さらに、充電切換スイッチ１８の他方の入力端子ｂがダイオード１９のカソードに接続される。ダイオード１９のアノードが一次電池３ａ〜３ｃの正極と接続される。一次電池３ａ〜３ｃの負極が外部端子２２と接続される。ダイオード１９は、二次電池側から一次電池側に電流が逆流することを阻止している。充電切換スイッチ１８を設けているので、外部端子電圧によって一次電池３ａ〜３ｃが充電されることを防止でできる。
【００３５】
充電切換スイッチ１８は、制御手段としての検出スイッチ４からの検出信号で制御される。検出スイッチ４は、上述したように、一次電池３ａ〜３ｃが電池ホルダに装着されているか否かによってオン／オフされるものである。実際には、検出スイッチ４に対してアンプ、パルス発生回路等が接続されているが、図では、省略されている。
【００３６】
一次電池３ａ〜３ｃが電池ホルダに装着されていない通常状態では、検出スイッチ４がオフとなり、検出信号が例えば"0"（論理的値の０を意味する）となり、充電切換スイッ
チ１８の入力端子ａと出力端子ｃとが接続される状態とされ、充電端子２３に外部の充電器から供給される電圧がＤＣ−ＤＣコンバータ１７に対して入力される。ＤＣ−ＤＣコンバータ１７の所定値の出力によって、二次電池１１が充電される。
【００３７】
一次電池３ａ〜３ｃが電池ホルダに装着されると、検出スイッチ４がオンとなり、検出信号が例えば"1"（論理的値の１を意味する）となり、充電切換スイッチ１８の入力端子
ｂと出力端子ｃとがダイオード１９を介して接続される状態とされ、一次電池３ａ〜３ｃから供給される電圧がＤＣ−ＤＣコンバータ１７に対して入力される。ＤＣ−ＤＣコンバータ１７の所定値の出力電圧例えば４．２Ｖの充電電圧によって、二次電池１１が充電される。
【００３８】
上述したように、一次電池側からの電圧と充電器側からの電圧はともにＤＣ−ＤＣコンバータ１７で制御される。ＤＣ−ＤＣコンバータ１７は、充電電圧が設定電圧値より低い場合は昇圧を行い、充電電圧が設定電圧値より高い場合は降圧を行う昇降圧型の構成とされ、定格充電電圧値に制御された電圧でもって二次電池が充電される。ＤＣ−ＤＣコンバータ１７によって、充電する際に二次電池１１例えばリチウムイオン二次電池の定格充電電圧値よりも高い電圧で充電されることが防止されている。
【００３９】
なお、上述した説明では、充電切換スイッチ１８が検出信号で制御される電子的スイッチとしたが、充電切換スイッチ１８を機械的スイッチによって実現しても良い。つまり、通常状態では、入力端子ａ（外部充電器側）と出力端子ｃが接続されており、一次電池３ａ〜３ｃを装着すると、入力端子ｂ（一次電池側）と出力端子ｃが接続される状態に機械的に切り換わる構成としても良い。
【００４０】
図４は、この発明の第２の実施形態の回路構成を示す。図１の構成と対応する部分には、同一の参照符号を付して示す。制御手段として、参照符号２４で示す電圧監視器が設けられ、電圧監視器２４によって一次電池３ａ〜３ｃの電圧値を検知し、検知の結果に応じて充電切換スイッチ１８が制御される構成とされている。
【００４１】
通常状態では、電圧監視器２４の出力検出信号が"0"であり、充電切換スイッチ１８が
外部充電器の出力が供給される入力端子ａを選択している。一次電池３ａ〜３ｃが装着され、且つ電圧監視器２４によって検知された一次電池３ａ〜３ｃの電圧値が設定電圧値以上の場合は、電圧監視器２４の出力検出信号が"1"となる。この検出信号によって、スイ
ッチが充電器側（入力端子ａ）から一次電池側（入力端子ｂ）に自動的に切り換わり、一次電池３ａ〜３ｃからの充電が開始される。
【００４２】
図５は、この発明の第３の実施形態の回路構成を示す。図１の構成と対応する部分には、同一の参照符号を付して示す。制御手段として、参照符号２５で示す電圧監視器が設けられ、電圧監視器２５によって充電端子２３の電圧値を検知し、検知の結果に応じて充電切換スイッチ１８が制御される構成とされている。
【００４３】
通常状態では、電圧監視器２５の検出信号が"1"であり、充電切換スイッチ１８が一次
電池３ａ〜３ｃの出力が供給される入力端子ｂを選択している。外部充電器が装着され、且つ電圧監視器２５によって検知された充電端子２３の電圧値が設定電圧値以上の場合は、検出信号が"0"となり、充電切換スイッチ１８が一次電池側（入力端子ｂ）から充電器
側（入力端子ａ）に自動的に切り換わり、外部充電器による充電が開始される。
【００４４】
図６は、この発明の第４の実施形態の回路構成を示す。図１の構成と対応する部分には、同一の参照符号を付して示す。制御手段として、参照符号２６で示す電圧監視器が設けられ、電圧監視器２６によって、一次電池３ａ〜３ｃの電圧および充電端子２３の電圧値の両方が監視されている。そして、高い電圧を検知した方を選択するように、充電切換スイッチ１８が選択される。
【００４５】
一次電池３ａ〜３ｃが装着されてなく、且つ外部充電器が接続されていない通常状態では、電圧監視器２６の出力検出信号が"0"であり、充電切換スイッチ１８が外部充電器の
出力が供給される入力端子ａを選択している。一次電池３ａ〜３ｃが装着され、外部充電器が接続されていない状態では、電圧監視器２６の出力検出信号が"1"となる。この検出
信号によって、充電切換スイッチ１８が充電器側（入力端子ａ）から一次電池側（入力端子ｂ）に自動的に切り換わり、一次電池３ａ〜３ｃからの充電が開始される。
【００４６】
図７は、図１に示す第１の実施形態において、一次電池で充電を行っている場合に点灯するＬＥＤ３１を付加した第５の実施形態の回路構成を示す。ＬＥＤ３１のアノードがダイオード１９のカソードに接続されている。ＬＥＤ３１のカソードが抵抗３２およびＬＥＤ点灯スイッチ３３を直列に介して二次電池１１の負極に接続されている。
【００４７】
ＬＥＤ点灯スイッチ３３は、アンドゲート３４の出力が"1"の時にオンするようになさ
れている。アンドゲート３４の一方の入力端子に対して検出スイッチ４の検出信号が入力され、その他方の入力端子に対して保護回路１２からの充電制御信号が供給される。
【００４８】
上述したように、検出信号は、一次電池３ａ〜３ｃが装着された状態で"1"となり、充
電制御信号は、過充電でない時に"1"となる。一次電池３ａ〜３ｃが装着されると、充電
切換スイッチ１８によって一次電池３ａ〜３ｃによる充電がなされる。したがって、一次電池３ａ〜３ｃによる充電が行われ、且つ過充電でない時にＬＥＤ３１が点灯する。なお、以下の接続例においても同様であるが、一次電池３ａ〜３ｃが放電すると、ＬＥＤ３１が消灯する。
【００４９】
図８は、図４に示す第２の実施形態において、一次電池で充電を行っている場合に点灯するＬＥＤ３１を付加した第６の実施形態の回路構成を示す。ダイオード１９のカソードと、二次電池１１の負極との間に、ＬＥＤ３１、抵抗３２およびＬＥＤ点灯スイッチ３５の直列回路が接続されている。
【００５０】
ＬＥＤ点灯スイッチ３５は、アンドゲート３６の出力が"1"の時にオンするようになさ
れている。アンドゲート３６の一方の入力端子に対して電圧監視器２４の検出信号が入力され、その他方の入力端子に対して保護回路１２からの充電制御信号が供給される。
【００５１】
充電切換スイッチ１８を制御する電圧監視器２４の出力検出信号は、一次電池３ａ〜３ｃが装着され、且つ電圧監視器２４によって検知された一次電池３ａ〜３ｃの電圧値が設定電圧値以上の場合に"1"となる。出力検出信号によって、充電切換スイッチ１８が制御
され、一次電池３ａ〜３ｃによる充電がなされる。充電制御信号は、過充電でない時に"1"となる。アンドゲート３６に対して供給される検出信号も、充電切換スイッチ１８を制
御する検出信号と同様のものである。したがって、一次電池３ａ〜３ｃによる充電が行われ、且つ過充電でない時にＬＥＤ３１が点灯する。
【００５２】
図９は、図５に示す第３の実施形態において、一次電池で充電を行っている場合に点灯するＬＥＤ３１を付加した第７の実施形態の回路構成を示す。ダイオード１９のカソードと、二次電池１１の負極との間に、ＬＥＤ３１、抵抗３２およびＬＥＤ点灯スイッチ３７の直列回路が接続されている。
【００５３】
ＬＥＤ点灯スイッチ３７は、アンドゲート３８の出力が"1"の時にオンするようになさ
れている。アンドゲート３８の一方の入力端子に対して電圧監視器２５の検出信号が入力され、その他方の入力端子に対して保護回路１２からの充電制御信号が供給される。
【００５４】
充電切換スイッチ１８を制御する電圧監視器２５の出力検出信号は、外部充電器が装着され、且つ電圧監視器２５によって検知された充電端子２３の電圧値が設定電圧値以上の場合は、"1"となる。この検出信号によって、充電切換スイッチ１８が一次電池側（入力
端子ｂ）から充電器側（入力端子ａ）に自動的に切り換わり、外部充電器による充電が開始される。充電制御信号は、過充電でない時に"1"となる。アンドゲート３８に対して供
給される検出信号も、充電切換スイッチ１８を制御する検出信号と同様のものである。したがって、外部充電器が接続されていない状態で、一次電池３ａ〜３ｃが装着され、且つ過充電でない時にＬＥＤ３１が点灯する。
【００５５】
図１０は、図６に示す第４の実施形態において、一次電池で充電を行っている場合に点灯するＬＥＤ３１を付加した第８の実施形態の回路構成を示す。ダイオード１９のカソードと、二次電池１１の負極との間に、ＬＥＤ３１、抵抗３２およびＬＥＤ点灯スイッチ３９の直列回路が接続されている。
【００５６】
ＬＥＤ点灯スイッチ３９は、アンドゲート４０の出力が"1"の時にオンするようになさ
れている。アンドゲート４０の一方の入力端子に対して電圧監視器２６の検出信号が入力され、その他方の入力端子に対して保護回路１２からの充電制御信号が供給される。
【００５７】
電圧監視器２６の出力検出信号は、一次電池３ａ〜３ｃが装着され、外部充電器が接続されていない状態では、"1"となる。この検出信号によって、充電切換スイッチ１８が充
電器側（入力端子ａ）から一次電池側（入力端子ｂ）に自動的に切り換わり、一次電池３ａ〜３ｃからの充電が開始される。アンドゲート４０に対して供給される検出信号も、充電切換スイッチ１８を制御する検出信号と同様のものである。したがって、一次電池３ａ〜３ｃによる充電が行われ、且つ過充電でない時にＬＥＤ３１が点灯する。
【００５８】
この発明は、上述したこの発明の実施形態等に限定されるものではなく、この発明の要旨を逸脱しない範囲内で様々な変形や応用が可能である。例えば放電制御用のＦＥＴおよび充電制御用のＦＥＴを二次電池の正極に挿入しても良い。また、ＤＣ−ＤＣコンバータ以外の電圧変換器を使用しても良い。また、電池パックに放電用の電圧変換器を内蔵しても良い。さらに、電圧変換器に関連して一次電池による充電のシーケンスを制御する構成を設けても良い。さらに、充電器で二次電池の充電を行っている場合にＬＥＤを点灯させるようにしても良い。
【図面の簡単な説明】
【００５９】
【図１】この発明の第１の実施形態の接続図である。
【図２】この発明が適用された電池パックの第１の例の構成を示す略線図である。
【図３】この発明が適用された電池パックの第２の例の構成を示す略線図である。
【図４】この発明の第２の実施形態の接続図である。
【図５】この発明の第３の実施形態の接続図である。
【図６】この発明の第４の実施形態の接続図である。
【図７】この発明の第５の実施形態の接続図である。
【図８】この発明の第６の実施形態の接続図である。
【図９】この発明の第７の実施形態の接続図である。
【図１０】この発明の第８の実施形態の接続図である。
【符号の説明】
【００６０】
１  二次電池パック
２  一次電池ホルダ
３ａ〜３ｃ  一次電池
４  検出スイッチ
１１  二次電池
１２  保護回路
１７  ＤＣ−ＤＣコンバータ
１８  充電切換スイッチ
２１  正の外部端子
２２  負の外部端子
２３  充電電圧の供給される外部端子
２４，２５，２６  電圧監視器
３１  ＬＥＤ
【図１】
2005130662.tif 000003
【図２】
2005130662.tif 000004
【図３】
2005130662.tif 000005
【図４】
2005130662.tif 000006
【図５】
2005130662.tif 000007
【図６】
2005130662.tif 000008
【図７】
2005130662.tif 000009
【図８】
2005130662.tif 000010
【図９】
2005130662.tif 000011
【図１０】
2005130662.tif 000012